(57)【特許請求の範囲】
【請求項１】
プロセス流体の圧力を測定するためのプロセス変数トランスミッタであって、
第１の離隔ダイヤフラムを通じて第１のプロセス圧力に結合するように構成された第１のポートと、第２の離隔ダイヤフラムを通じて第２のプロセス圧力に結合するように構成された第２のポートとを有するプロセス継手と、
第１の隔離管を通じて前記第１のポートに結合されるとともに、第２の隔離管を通じて前記第２のポートに結合され、前記第１の圧力と前記第２の圧力との間の差圧に関連する出力を提供する差圧センサと、
前記第１の隔離管を通じて前記第１のポートに結合され、前記第１の圧力に関連する出力を提供する第１の圧力センサと、
前記第２の隔離管を通じて前記第２のポートに結合され、前記第２の圧力に関連する出力を提供する第２の圧力センサと、
前記差圧センサからの前記出力にもとづいてトランスミッタ出力を提供し、前記第１及び第２の圧力にもとづいて拡張させた機能をさらに提供するように構成されたトランスミッタ回路とを含み、
前記第１及び第２の各隔離管の中には、前記第１及び第２の隔離ダイヤフラムによって前記プロセス流体から隔離された充填液がそれぞれ配設され、
前記第１及び第２の圧力センサは、内部に形成されたキャビティを有する脆性材料からなり、前記第１及び第２の圧力センサからの前記出力が、キャビティの変形に関連し、それによって、前記第１及び第２の圧力センサは、前記差圧センサの周波数応答よりも高い周波数応答を有し、前記差圧センサよりも早い応答時間での測定を提供することが可能であり、
前記第１及び第２の圧力センサは、前記差圧センサの最大動作圧力よりも高い圧力で動作するように構成され、前記トランスミッタ回路は、前記第１及び第２の圧力センサにもとづいてトランスミッタ出力を提供し、
前記拡張させた機能が、前記差圧センサを較正すること、前記差圧センサの出力にスパンライン圧補償を提供すること、及び前記プロセス変数トランスミッタの動作レンジを拡張することの少なくとも１つを含む、トランスミッタ。
【請求項２】
前記トランスミッタが、前記第１及び第２の圧力センサからの前記出力にもとづいて差圧を算出するように構成される、請求項１記載のプロセス変数トランスミッタ。
【請求項３】
前記第１の隔離管が延長部を含み、前記第１の圧力センサが前記延長部の遠位端に取り付けられる、請求項１記載のプロセス変数トランスミッタ。
【請求項４】
前記差圧センサが品質低下している場合、前記トランスミッタ回路が、前記第１の圧力センサからの前記出力と、前記第２の圧力センサからの前記出力との間の差異にもとづいて差圧出力を提供するように構成される、請求項１記載のプロセス変数トランスミッタ。
【請求項５】
前記第１の圧力センサが、前記第１の隔離管内に延長し、ロウ付けによって前記第１の隔離管に結合される、請求項１記載のプロセス変数トランスミッタ。
【請求項６】
前記拡張させた機能が、詰まりのあるラインを検出することを含む、請求項１記載のプロセス変数トランスミッタ。
【請求項７】
前記拡張させた機能が、前記第１及び第２の圧力センサによって検知された信号の周波数にもとづく、請求項１記載のプロセス変数トランスミッタ。
【請求項８】
プロセス変数トランスミッタ内でプロセス流体の圧力を測定する方法であって、
第１の離隔ダイヤフラムを通じて第１の隔離管を第１のプロセス圧力に結合させることと、
第２の離隔ダイヤフラムを通じて第２の隔離管を第２のプロセス圧力に結合させることと、
前記第１及び第２の隔離管間に結合された差圧センサを用いて、前記第１のプロセス圧力と前記第２のプロセス圧力との間の差圧を検知することと、
前記第１の隔離管を通して前記第１のプロセス圧力に結合された第１の圧力センサで、前記第１のプロセス圧力を検知することと、
前記第２の隔離管を通して前記第２のプロセス圧力に結合された第２の圧力センサで、前記第２のプロセス圧力を検知することと、
前記差圧センサによって検知された前記差圧に関連するトランスミッタ出力を提供することと、
前記第１及び第２の圧力センサからの出力にもとづいて、前記プロセス変数トランスミッタに、前記差圧センサを較正すること、前記差圧センサの出力にスパンライン圧補償を提供すること、及び前記プロセス変数トランスミッタの動作レンジを拡張することの少なくとも１つを含む、拡張させた機能を行うこととを含み、
前記第１及び第２の各隔離管の中には、前記第１及び第２の隔離ダイヤフラムによって前記プロセス流体から隔離された充填液がそれぞれ配設され、
前記第１の圧力センサが、内部に形成されたキャビティを有する脆性材料からなり、前記第１の圧力センサからの前記出力が、前記キャビティの変形に関連し、それによって、前記第１及び第２の圧力センサは、前記差圧センサの周波数応答よりも高い周波数応答を有し、前記差圧センサよりも早い応答時間での測定を提供することが可能であり、
前記第１及び第２の圧力センサは、前記差圧センサの最大動作圧力よりも高い圧力で動作するように構成され、トランスミッタ回路は、前記第１及び第２の圧力センサにもとづいてトランスミッタ出力を提供する、方法。
【請求項９】
前記第１及び第２の圧力センサからの前記出力にもとづいて差圧を算出する、請求項８記載の方法。
【請求項１０】
前記第１の隔離管が延長部を含み、前記第１の圧力センサが前記延長部の遠位端に取り付けられる、請求項８記載の方法。
【請求項１１】
前記第１及び第２の圧力センサの検出された周波数にもとづいて、システム、コンポーネント又はプロセスを診断すること、を含む請求項８記載の方法。
【請求項１２】
前記検知された第１及び第２の圧力にもとづいて、ラインの詰まりを検出することを含む、請求項８記載の方法。
【請求項１３】
前記検知された第１及び第２の圧力にもとづいて、前記差圧センサの動作を診断することを含む、請求項８記載の方法。
【請求項１４】
前記差圧センサが品質低下している場合、前記検知された第１及び第２の圧力にもとづいて差圧を検知することを含む、請求項８記載の方法。
【発明の詳細な説明】
【技術分野】
【０００１】
本発明は、工業用プロセスにおけるプロセス流体の圧力の測定に関する。より具体的には、本発明は、差圧トランスミッタ内のライン圧の測定に関する。
【背景技術】
【０００２】
工業用プロセスは、多くの種類の材料の製造及び輸送に用いられる。そのようなシステムでは、多くの場合、プロセス内部の異なる種類の圧力を測定することが必要とされる。測定されることが多い圧力の１つの種類は、差圧である。これは、プロセス内の１点と、プロセス内の別の点との間の圧力差である。たとえば、プロセス流体の流れを収容している管内のオリフィス板両端の差圧は、流体の流量に関連する。また、差圧を用いて、たとえばタンク又は他の容器内のプロセス流体の高さを測定することもできる。
【０００３】
工業用プロセスでは、圧力センサは、通常、遠隔位置に位置し、圧力関連情報を中央の場所、たとえば制御室に返り返す圧力トランスミッタに包含されるか又は結合される。送信は、プロセス制御ループを経由することが多い。たとえば、２線を用いて情報と電力の両方をトランスミッタに伝達する二線式プロセス制御ループがしばしば用いられる。また、ワイヤレス通信技術を用いることもできる。
【０００４】
トランスミッタ技術の進歩は、トランスミッタによって作り出されることができる情報量を増大させてきた。特に、トランスミッタは、複数のプロセス変数入力を、又は単一のプロセス変数をより広範囲にわたり測定するための複数のセンサを具備することができる。たとえば、トランスミッタは、Brodenらに対する米国特許番号第５、４９５、７６９号、Rud, Jr.に対する米国特許番号第６、０４７、２４４号、及びSchulteらに対する米国特許番号第７、４６７、５５５号に記載されたような複数の圧力センサを備えることができ、これらはすべてRosemount Inc., Eden Prairie, MNに譲渡されている。
【０００５】
多くのプロセス設備では、差圧の測定に加えて、プロセスの絶対圧又はゲージ圧（「ライン圧」とも呼ばれる）を測定することがさらに望ましい。この情報を用いて、たとえば、流れ計算においてプロセス流体の濃度の変化を含むことによって、より正確な流れの測定を提供する。プロセス流体に結合された別個の圧力センサを用いて、さらなる圧力測定をすることができる。
【発明の概要】
【０００６】
プロセス流体の圧力を測定するためのプロセス変数トランスミッタは、第１のプロセス圧力に結合するように構成された第１のポートと、第２のプロセス圧力に結合するように構成された第２のポートとを有するプロセス継手を含む。少なくとも、第１の圧力センサが第１のポートに結合して、第１の圧力に関連する出力を提供する。トランスミッタ回路は、差圧からの出力にもとづいて、トランスミッタ出力を提供するように構成される。検知された第１の圧力及び第２の検知された圧力を用いて、トランスミッタによってさらなる機能が提供される。
【図面の簡単な説明】
【０００７】
【図１】本発明によって構築されたプロセストランスミッタを有するプロセス測定システムを示す。
【図１】図１のプロセストランスミッタの簡略化されたブロック図である。
【図２】トランスミッタ電子回路を示す図１のプロセストランスミッタの略側面図である。
【図３】図３のトランスミッタのセンサモジュールの断面図である。
【図４】ライン圧センサの断面図である。
【図５】管内に取り付けられた、図５のライン圧センサの断面図である。
【発明を実施するための形態】
【０００８】
１つの実施形態では、本発明は、差圧測定トランスミッタに、デュアルライン圧センサを用いてさらなる機能を提供するための機器及び方法を提供する。より具体的には、１つの態様では、本発明は、診断を行うか又は他の機能を提供するために用いるための、差圧センサの反対側に結合されたライン圧センサを含む。
【０００９】
図１は、プロセス測定システム３２の環境を全体的に示す。図１は、プロセス圧力を測定するためのプロセス測定システム３２に結合された、圧力下にある流体を包含するプロセス配管３０を示す。プロセス測定システム３２は、配管３０に接続されたインパルス配管３４を含む。インパルス配管３４は、プロセス圧力トランスミッタ３６に接続される。一次エレメント３３、たとえばオリフィス板、ベンチュリ管、フローノズル等は、プロセス配管３０内のインパルス配管３４の管間のある位置でプロセス流体に接触する。一次エレメント３３は、流れが一次エレメント３３を通過する際に、流体内に圧力変化を生じさせる。
【００１０】
トランスミッタ３６は、インパルス配管３４を通してプロセス圧力を受けるプロセス測定装置である。トランスミッタ３６は、プロセス差圧力を検知して、それをプロセス圧力の関数である標準化された伝送信号に変換する。
【００１１】
プロセスループ３８は、制御室４０からトランスミッタ３６への電力信号、及び二方向通信の両方を提供し、多くのプロセス通信プロトコルに従って構築されることができる。図示された例では、プロセスループ３８は２線式ループである。２線式ループを用いて、４−２０ｍＡ信号による通常動作中、トランスミッタ３６に全電力が、及びトランスミッタ３６に／トランスミッタ３６から全通信が送信される。制御室４０は、トランスミッタ３６に電力供給する電圧源４６と、直列抵抗４４とを含む。別の例の構成では、ループ３８は、ポイントツーポイント構成、メッシュネットワークのいずれか、又は他の構成でデータがワイヤレス送信又は受信され得るワイヤレス接続である。
【００１２】
図２は、圧力トランスミッタ３６の簡略化されたブロック図である。圧力トランスミッタ３６は、データバス６６を通して共に結合されたセンサモジュール５２と電子回路基板７２をと含む。センサモジュール電子回路６０は、印加された差圧５４を受ける差圧センサ５６に結合する。データ接続部５８は、センサ５６をアナログ・ディジタル変換器６２と結合させる。また、任意の温度センサ６３が、センサモジュールメモリ６４とともに図示される。電子回路基板７２は、マイクロコンピュータシステム７４（又はマイクロプロセッサ）、電子回路メモリモジュール７６、ディジタル・アナログ変換器７８及びディジタル通信ブロック８０を含む。
【００１３】
図２には、差圧センサ５６をプロセス流体５４と結合させるために用いられる毛管又は「充填」管９３及び９４がさらに図示される。隔離ダイヤフラム９０は、プロセス流体５４から、毛管９３及び９４内に運ばれる充填液に印加される圧力を受ける。この充填液を通して、工業用プロセスの圧力が差圧センサ５６に印加される。
【００１４】
図示された実施形態によれば、ライン圧センサ９７及び９８は、それぞれ毛管９３及び９４に結合し、毛管９３及び９４内の圧力をモニタするように配置される。ライン圧センサ９７及び９８は、圧力測定回路９９に結合する。回路９９は、たとえば、印加されたリンク圧力の関数として変化する、センサ９７及び９９の電気的パラメータに応答する回路を含むことができる。たとえば、圧力センサ９７及び９８は、周知の技術に従って動作することができ、センサ９７及び９８の電気容量が変化したり、センサ９７及び９８の電気抵抗が変化したり、センサの共振周波数が変化したりする等の圧力測定技術を含む。以下に１つの特定の構成がより詳細に述べられる。回路９９は、スタンドアローン回路であることができ、又は、いくつかの構成では、差圧を測定するために用いられる他の回路に組み入れられてもよい。たとえば、各種のセンサをモニタするために用いられるコンポーネントのいくつか又はすべてが、共用のコンポーネントであってもよい。
【００１５】
図３は、センサモジュール５２及びトランスミッタ電子回路モジュール１３６を有する圧力トランスミッタ３６の１つの実施形態を概略的に示す。センサモジュール５２は、ハウジング１５２及びベース５４を含み、その中にはセンサ基板１５６、差圧センサ５６、隔離管９３及び９４、及び隔離ダイヤフラム９０が配設されている。トランスミッタ電子回路モジュール１３６は、ハウジング１６４、カバー１６６、ディスプレイカバー１６８、出力インターフェイス１７０及びトランスミッタ回路１７２を含む。センサモジュール５２は、ライン圧センサ９７及び９８、及び温度センサ１７５をさらに含む。圧力Ｐ１及びＰ２は、図１に示された配管３０内の一次エレメント３３のいずれの側でも生成される。
【００１６】
センサ基板１５６及びセンサ５６は、センサモジュール５２のハウジング１５２内部に取り付けられる。センサモジュール５２のハウジング１５２は、たとえばねじ接続を通して、電子回路モジュール１３６のハウジング１６４に接続する。同様に、カバー１６６及び１６８は、当技術分野で周知のように、ハウジング１６４内部から炎が漏れ出ることを防止する消炎シールを形成する螺合接続を通して、ハウジング１６４に接続する。出力インターフェイス１７０及びトランスミッタ回路１７２は、トランスミッタ電子回路モジュール１３６内のハウジング１６４に取り付けられ、図２に示される電子回路基板７２を形成する。
【００１７】
図示された実施形態では、センサ５６は、一対の電極板の間に配設された検知ダイヤフラムを有する容量ベースの差圧セルである。１つの実施形態では、センサ５６は、Frickらに対する米国特許番号第６、２９５、８７５号に記載されたような金属ダイヤフラムタイプのセンサであり、これはRosemount Inc., Eden Prairie, MNに譲渡されている。センサ５６は、中に油圧用充填液が配設された隔離管９３及び９４によってベース５４に接続されている。隔離ダイヤフラム９０は、隔離管９３及び９４内部の充填液を、プロセス流体の圧力Ｐ１及びＰ２から隔離させる。プロセス流体の圧力Ｐ１及びＰ２の変化は、センサ５６によって、ベース５４内部の隔離ダイヤフラム９０及び隔離管９３及び９４内部の油圧用充填液を通して、差圧ΔＰとして検知される。しかし、本発明はこの差圧測定構成に限定されない。
【００１８】
前述の実施形態では、ライン圧センサ９７及び９８は、容量ベースの絶対圧力センサである。１つの構成では、センサ９７及び９８は、Sittlerらに対する米国特許番号第６、４８４、５８５号及び関連する一連の出願に記載されたような容量性圧力センサであり、それらはすべてRosemount Inc., Eden Prairie, MNに譲渡されている。そのようなセンサは、高い圧縮強度を有する脆性の検知材料を用いる技術を含む。たとえば、脆性材料はサファイア等である。センサ９７及び９８は、隔離管９３及び９４内の充填液のライン圧Ｐ１及びＰ２をそれぞれ検知する。各々の圧力センサ９７及び９８によって検知された圧力は、互いに比較されて、センサ５６によって検知された差圧ΔＰの代わりに、又は差圧ΔＰとの比較のために用いられることができる、差圧ΔＰを表す信号を生成することができる。
【００１９】
センサ５６、９７及び９８は共に、単一のセンサ装置を有する差圧センサ機器、及び２つのセンサ装置を有するセンサ機器を含むセンサシステムを形成する。差圧センサ５６と絶対圧力センサ９７及び９８とは、センサ基板１５６と電子的に通信する。センサ基板１５６は、センサケーブル１７６を通してトランスミッタ回路１７２と電子的に通信する。トランスミッタ回路１７２は、電子回路用ケーブル１７８を通して出力インターフェイス１７０と電子的に通信する。出力インターフェイス１７０は、トランスミッタ３６を制御ループ３８の配線に接続させる。本発明の別の実施形態では、トランスミッタ回路１７２、センサ基板１５６及び出力インターフェイス１７０の機能の実行が分散されて、所望のように異なって実施される。
【００２０】
センサ５６は、小さな差圧を正確に測定する。さらに、センサ９７及び９８は、絶対圧力を正確に測定する。センサ５６は、ライン圧Ｐ１及びＰ２間の差異を直接測定する。センサ９７及び９８は、圧力Ｐ１及びＰ２をそれぞれ直接測定する。センサ９７及び９８からの出力間の差異を用いて、大きな差圧を判定するか、診断を行うか、センサ５６等に較正を提供するか、又は他の機能を提供することができる。そして、センサ５６、９７及び９８を用いて、多岐にわたる状況でライン圧及び差圧を検知することができる。
【００２１】
図４は、より詳細に示されたセンサモジュール５２の断面図である。図４に図示されるように、管９３は、差圧センサ５６に結合する曲げ部２０２を含む。さらに、管９３は、ライン圧センサ９７に結合する延長部２００を含む。同じように、管９４は、差圧センサ５６に接続する曲げ部２０６と、ライン圧センサ９８に結合する延長部２０４とを含む。
【００２２】
図５は、ライン圧センサ９７の一例の側面断面図である。図５の例では、ライン圧センサ９７は、互いに接合されてその間にバキュームキャビティ２２４を形成する２つのサファイア基板２２０及び２２２で形成される。バキュームキャビティ２２４は、電気接続リード線２２６に結合する２つのコンデンサ板（図示せず）を含む。電気接続リード線２２６は、センサ基板１５６内の回路に接続する。ブレーズ（ロウ付け）バンド２３０が設けられて、センサ９７を管９３に結合するために用いられる。
【００２３】
図６は、管９３の延長部２００に取り付けられたライン圧センサ９７の断面図である。管９３は、ニッケルで形成されて、実質的に非圧縮性の流体、たとえば油で充填されることができる。管９３の延長部２００は、内部に形成された、圧力センサ９７を支持する開口部を含む。圧力センサ９７は、たとえばブレーズ（ロウ付け）２３２を用いて、延長部２００にシールされる。
【００２４】
図２を再度参照すると、圧力センサ５６、９７及び９８からのセンサ信号は、トランスミッタ３６内の回路によって受信される。この回路は、たとえばセンサモジュール５２内の、又は電子回路基板７２上の回路を含む。たとえば、マイクロプロセッサ回路７４は、ライン圧信号を処理して、トランスミッタ３６に拡張させた機能を提供することができる。そのような拡張させた機能は、診断、拡張された測定レンジ、重複するセンサ測定、較正、さらなるプロセス変数、たとえば質量流量の算出等を含む。
【００２５】
さらなるセンサの使用を用いて、装置が圧力を検出することが可能になる測定レンジを拡張することができる。たとえば、ライン圧センサ９７及び９８を用いて、圧力が圧力センサ５６の上限測定レンジを超えた場合のプロセス流体の差圧を検知することができる。そのような構成は、圧力測定の精度を低減させることがあるが、場合によっては、この妥協が、増大された測定レンジを提供するために許容可能とされてもよい場合がある。このことは、流量及び差圧の両方を測定するために有用である可能性がある。
【００２６】
さらなるセンサ９７、９８を用いて、センサ診断の提供に用いるための重複する差圧測定を可能にすることができる。たとえば、２５０水銀柱インチ未満の圧力で、センサ９７、９８を用いて差圧を測定し、重複する差圧測定を提供することができる。ラインセンサ９７及び９８を用いて測定された差圧は、差圧センサ５６を用いて測定された差圧と比較されることができる。マイクロプロセッサ７４は、これら２つの測定間のあらゆる差異に用いて、故障しているセンサを特定することができる。
【００２７】
１つの構成では、さらなる絶対圧力センサ９７及び９８を用いて、差圧センサ５６が故障しているか又は不正確な測定を提供している場合に差圧測定を提供する。この構成は、トランスミッタ３６が、故障した機材が修理されるか又は交換されるまで、低減された精度を有する限定された（又は「リンプ」）モードで動作することを可能にする。マイクロプロセッサシステム７４が、たとえば信号出力が提供されないことによってセンサ５６が故障していることを検出した場合、マイクロプロセッサ７４は、センサ９７及び９８からの出力に基づいて差圧を算出することができる。この算出された差圧は、遠隔位置に送信されることができる。送信は、任意には診断情報、たとえば、トランスミッタが「リンプ」モードで動作しているために、送信されたプロセス変数が低減された精度を有することを示す情報を含んでもよい。この構成は、修理が実施されることができるまで、工業用プロセスが、ことによっては低減された容量で動作を継続することを可能にする。
【００２８】
別の構成では、診断は、絶対圧力センサ９７、９８上のマイクロプロセッサシステム７４によって、差圧センサ５６によって測定された差圧にもとづいて行われる。通常動作中、ライン圧センサ９７、９８の一方によって測定された圧力は、他方のライン圧センサ９７、９８によって測定された圧力と、差圧センサ５６によって測定された差圧との間の差異と実質的に等しいはずである。同様に、さらなるラインセンサ９７、９８を用いて、インパルス配管の詰まり又は故障している一次エレメントを特定することができる。
【００２９】
説明された実施形態では、２つの異なるタイプのセンサの使用を用いて、異なる周波数応答を有するセンサを提供することができる。たとえば、本明細書で説明された差圧センサ５６で用いられる金属ダイヤフラムは、より高い周波数のプロセスノイズをろ過する傾向がある効果的なローパスフィルタを有する。一方、本明細書で説明されたサファイアベースのライン圧センサ９７、９８は、より高い周波数応答を有し、より早い応答時間での測定を提供することが可能である。この高周波数応答を用いて、差圧センサ５６の両側におけるノイズ信号を測定することができる。これを用いて、拡張させたプロセス統計及び診断、たとえばプロセス中の詰まりのあるライン又は故障したコンポーネントの特定を提供することができる。また、ライン圧信号は、差圧センサ５６を較正するために用いることができることに加えて、高いライン圧に起因するあらゆる変化に対する差圧測定を補償するために用いることができる。たとえば、上述の圧力センサ９７及び９８の構成は、長期間にわたって比較的安定した測定を呈する。センサ９７及び９８が比較的安定しているので、それらの測定を用いて、圧力センサ５６によって提供される測定のドリフトを較正することができる。このように、マイクロプロセッサ７４によって較正を行うことができる。別の例では、ライン圧センサ９７及び９８によって提供されるさらなる圧力測定を用いて、差圧センサ５６の圧力測定に、マイクロプロセッサ７４による正確なスパンライン圧補償を提供することができる。１つの構成では、２つの絶対圧力センサ測定の使用を用いて、差圧測定の変動をより正確に補償することができる。補償アルゴリズムは、マイクロプロセッサ７４で実施することができる。
【００３０】
１つの構成では、ライン圧センサ９７及び９８は、約５、０００ｐｓｉの測定レンジ上限を有する。センサ９７、９８は、装置内の任意の場所に置かれることができるが、填管９３、９４に関連する上述の場所は、都合のよい位置を呈する。本明細書で説明されたライン圧センサ９７、９８は、容量の変動にもとづいて動作するため、測定システムの各種の動作及びコンポーネント、たとえば図２に示された、同じく容量の変動にもとづいて動作する温度センサ６３が、差圧センサ５６と共有されてもよい。１つの実施形態では、温度センサは、センサ９７及び／又は９８内部に設けられる。これを用いて、それらの測定における温度の変動を補償することができる。さらに、基準コンデンサ（図示せず）をセンサ９７及び／又は９８に組み込んで、絶対圧力測定の精度をさらに向上させることができる。また、デュアル絶対ライン圧センサ９７、９８は、他のプロセス変数測定構成、たとえばセンサがひずみゲージと並行に位置付けられることができるインラインユニットで用いられてもよい。
【００３１】
好ましい実施形態を参照して本発明を説明してきたが、当業者においては、本発明の本質及び意図から逸脱することなく、形状及び詳細に変更がなされてよいことが認識されよう。ライン圧センサ９７及び９８は、任意の方法でＰ１及びＰ２に結合されることができ、本明細書に示された管構成に限定されない。上述された各種の機能は、任意の好適な回路を用いて組み込まれることができ、そのような機能の実施は、コンポーネント間で共有されることができ、同じ又は別個の回路を用いて実施されることができる。本明細書で用いられる場合、「トランスミッタ回路」は、トランスミッタ３６内部の任意の回路を指す。本明細書で用いられる場合、「拡張させた機能」は、システム診断、コンポーネント診断、プロセス診断、拡張された動作レンジ、コンポーネントの較正、統計的なプロセス測定、及びコンポーネント故障発生時の限定された装置動作を含む。
【図１】
0005923500.tif 000002
【図２】
0005923500.tif 000003
【図３】
0005923500.tif 000004
【図４】
0005923500.tif 000005
【図５】
0005923500.tif 000006
【図６】
0005923500.tif 000007